(57)【特許請求の範囲】
【請求項１】
無線端末であって、
第１の無線アクセス技術の無線基地局から設定された測定パラメータに従って、アイドル状態において、無線環境の測定を行い、測定結果を位置情報と共に保持する制御部を備え、
前記制御部は、第２の無線アクセス技術に対する測定指示が前記測定パラメータに含まれていなくても、前記アイドル状態において、前記第１の無線アクセス技術に対する測定だけでなく、前記第２の無線アクセス技術に対する測定も行い、
前記制御部は、ネットワークへの報告のために、前記第１の無線アクセス技術に対する測定結果だけでなく、前記第２の無線アクセス技術に対する測定結果も保持し、
前記制御部は、前記無線端末が、前記アイドル状態からコネクテッド状態に遷移した後、前記保持された情報を、前記第１の無線アクセス技術の無線基地局へ送信する処理を実行する、ことを特徴とする無線端末。
【請求項２】
無線端末に備えられるプロセッサであって、
第１の無線アクセス技術の無線基地局から設定された測定パラメータに従って、アイドル状態において無線環境の測定を行う処理Ａと、
前記アイドル状態において、前記処理Ａでの測定結果を位置情報と共に保持する処理Ｂと、を実行し、
前記処理Ａにおいて、第２の無線アクセス技術に対する測定指示が前記測定パラメータに含まれていなくても、前記アイドル状態において、前記第１の無線アクセス技術に対する測定だけでなく、前記第２の無線アクセス技術に対する測定も行い、
前記処理Ｂにおいて、ネットワークへの報告のために、前記第１の無線アクセス技術に対する測定結果だけでなく、前記第２の無線アクセス技術に対する測定結果も保持し、
前記無線端末が、前記アイドル状態からコネクテッド状態に遷移した後、前記処理Ｂにおいて保持された情報を、前記第１の無線アクセス技術の無線基地局へ送信する処理Ｃを更に実行することを特徴とするプロセッサ。
【請求項３】
無線端末における方法であって、
第１の無線アクセス技術の無線基地局から設定された測定パラメータに従って、アイドル状態において無線環境の測定を行うステップＡと、
前記アイドル状態において、前記ステップＡでの測定結果を位置情報と共に保持するステップＢと、を含み、
前記ステップＡにおいて、前記アイドル状態の前記無線端末は、第２の無線アクセス技術に対する測定指示が前記測定パラメータに含まれていなくても、前記第１の無線アクセス技術に対する測定だけでなく、前記第２の無線アクセス技術に対する測定も行い、
前記ステップＢにおいて、前記アイドル状態の前記無線端末は、ネットワークへの報告のために、前記第１の無線アクセス技術に対する測定結果だけでなく、前記第２の無線アクセス技術に対する測定結果も保持し、
前記無線端末が、前記アイドル状態からコネクテッド状態に遷移した後、前記ステップＢにおいて保持された情報を、前記第１の無線アクセス技術の無線基地局へ送信するステップＣを更に含む、ことを特徴とする方法。
【発明の詳細な説明】
【技術分野】
【０００１】
本発明は、無線環境を測定して測定結果を収集可能な無線端末、プロセッサ及び方法に関する。
【背景技術】
【０００２】
移動通信システムでは、無線基地局の周辺にビルが建設されたり、当該無線基地局の周辺基地局の設置状況が変化したりすると、当該無線基地局に係る無線環境が変化する。このため、従来では、オペレータにより、測定機材を搭載した測定用車両を使用し、無線環境を測定して測定結果及び位置情報を収集するドライブテストが行われている。
【０００３】
このような測定及び収集は、例えば無線基地局のカバレッジの最適化に貢献できるが、工数が多く、且つ費用が高いという課題がある。そこで、移動通信システムの標準化プロジェクトである３ＧＰＰ（3rd Generation Partnership Project）では、ユーザが所持する無線端末を使用して、当該測定及び収集を自動化する技術であるＭＤＴ（Minimization of Drive Test）の仕様策定が進められている（非特許文献１及び２参照）。
【０００４】
ＭＤＴの一種として、記録型のＭＤＴ（以下、適宜Logged MDTと称する）がある。Logged MDTは、アイドル状態（すなわち待ち受け中の状態）の無線端末が、設定された測定パラメータに従って無線環境の測定を行い、測定結果を位置情報及び時間情報と共にＭＤＴデータとして記録し、後でネットワークに報告するために保持するものである。ＭＤＴを用いることで、オペレータは、無線基地局からの受信電力又は受信品質の低い位置（いわゆるカバレッジホール）を把握することが可能になる。
【先行技術文献】
【非特許文献】
【０００５】
【非特許文献１】3GPP TR 36.805 V9.0.0 “Study on Minimization of drive-tests in Next Generation Networks”, 2009-12
【非特許文献２】3GPP TS 37.320 v0.7.0, “Radio measurement collection for Minimization of Drive Tests (MDT)”, 2010-07
【発明の概要】
【０００６】
ところで、３ＧＰＰで仕様が策定されているＬＴＥ（Long Term Evolution）技術が導入された後においては、ＬＴＥ技術とＣＤＭＡ技術（Ｗ−ＣＤＭＡ又はＣＤＭＡ２０００等）の両方の無線アクセス技術（ＲＡＴ）が併用されることが想定されており、複数のＲＡＴに対応した無線端末が提供される予定である。また、ＬＴＥ技術が導入された後においては、複数の周波数帯に対応した無線端末が提供される予定である。
【０００７】
複数のＲＡＴ及び／又は複数の周波数帯に対応した無線端末は、一のＲＡＴの一の周波数帯におけるカバレッジホールにおいても、他のＲＡＴ及び／又は他の周波数帯に切り替えることで通信が可能なケースがある。従って、一のＲＡＴの一の周波数帯におけるカバレッジホールが他のＲＡＴ及び／又は他の周波数帯によってカバーされているか否かを把握することは、オペレータにとって重要である。
【０００８】
しかしながら、現状のＭＤＴの仕様では、一のＲＡＴの一の周波数帯におけるカバレッジホールが他のＲＡＴ及び／又は他の周波数帯によってカバーされているか否かを把握するための仕組みが存在しないという問題があった。
【０００９】
そこで、本発明は、一のＲＡＴの一の周波数帯におけるカバレッジホールが他のＲＡＴ及び／又は他の周波数帯によってカバーされているか否かを把握可能にすることができる無線端末、プロセッサ及び方法を提供することを目的とする。
【００１０】
上述した課題を解決するために、本発明は以下のような特徴を有している。まず、本発明に係る無線測定収集方法の特徴は、無線端末（無線端末ＵＥ）によって実行される無線測定収集方法であって、所定の無線アクセス技術の無線基地局（例えばＬＴＥ基地局ｅＮＢ）から、測定対象の周波数帯を含む測定パラメータを設定するための測定構成メッセージ（例えばMDT Configurationメッセージ）を受信するステップ（ステップＳ１１）と、アイドル状態において、前記測定構成メッセージによって設定された前記測定パラメータに従って、前記所定の無線アクセス技術の前記測定対象の周波数帯に対して、無線環境の測定を行う第１の測定ステップ（ステップＳ１４２）と、アイドル状態において、前記所定の無線アクセス技術とは異なる無線アクセス技術、及び／又は、前記所定の無線アクセス技術であって前記測定対象の周波数帯とは異なる周波数帯に対して、無線環境の測定を行う第２の測定ステップ（ステップＳ１４３）と、前記第１の測定ステップでの測定結果が閾値未満である場合に、前記第１の測定ステップでの測定結果及び前記第２の測定ステップでの測定結果の両方を位置情報と共に記録するステップ（ステップＳ１４６）とを備えることを要旨とする。
【００１１】
このような特徴によれば、無線端末は、第１の測定ステップでの測定結果が閾値未満（すなわち、カバレッジホール）である場合に、第１の測定ステップでの測定結果及び第２の測定ステップでの測定結果の両方を位置情報と共に記録する。これにより、一のＲＡＴの一の周波数帯におけるカバレッジホールが他のＲＡＴ及び／又は他の周波数帯によってカバーされているか否かを把握可能にすることができる。
【００１２】
本発明に係る無線測定収集方法の他の特徴は、上記特徴に係る無線測定収集方法において、前記第１の測定ステップでの測定結果が前記閾値以上である場合に、前記第１の測定ステップでの測定結果を位置情報と共に記録するステップ（ステップＳ１４５）を備えることを要旨とする。
【００１３】
本発明に係る無線測定収集方法の他の特徴は、上記特徴に係る無線測定収集方法において、前記記録するステップでは、前記第２の測定ステップで測定が行われた周波数帯を示す周波数帯情報をさらに記録することを要旨とする。
【００１４】
本発明に係る無線測定収集方法の特徴は、無線端末（無線端末ＵＥ）によって実行される無線測定収集方法であって、所定の無線アクセス技術の無線基地局（例えばＬＴＥ基地局ｅＮＢ）から、測定対象の周波数帯を含む測定パラメータを設定するための測定構成メッセージ（例えばMDT Configurationメッセージ）を受信するステップ（ステップＳ１１）と、アイドル状態において、前記所定の無線アクセス技術とは異なる無線アクセス技術、及び／又は、前記所定の無線アクセス技術であって前記測定対象の周波数帯とは異なる周波数帯に対して、無線環境の測定を行うステップ（ステップＳ１４３）と、前記測定を行うステップでの測定結果と、前記測定を行うステップで測定が行われた周波数帯を示す周波数帯情報と、位置情報とを記録するステップ（ステップＳ１４６）とを備えることを要旨とする。
【００１５】
本発明に係る無線測定収集方法の他の特徴は、上記特徴に係る無線測定収集方法において、前記無線端末が、アイドル状態からコネクテッド状態に遷移した後、前記記録するステップで記録された前記周波数帯情報を測定結果及び位置情報と共に前記所定の無線アクセス技術の無線基地局に送信するステップ（ステップＳ１８）をさらに備えることを要旨とする。
【００１６】
本発明に係る無線端末の特徴は、所定の無線アクセス技術の無線基地局（例えばＬＴＥ基地局ｅＮＢ）から、測定対象の周波数帯を含む測定パラメータを設定するための測定構成メッセージ（例えばMDT Configurationメッセージ）を受信する受信部（無線通信部２１０）と、アイドル状態において、前記測定構成メッセージによって設定された前記測定パラメータに従って、前記所定の無線アクセス技術の前記測定対象の周波数帯に対して、無線環境の測定を行う第１の測定部（第１の測定部２６１）と、アイドル状態において、前記所定の無線アクセス技術とは異なる無線アクセス技術、及び／又は、前記所定の無線アクセス技術であって前記測定対象の周波数帯とは異なる周波数帯に対して、無線環境の測定を行う第２の測定部（第２の測定部２６２）と、前記第１の測定部の測定結果が閾値未満である場合に、前記第１の測定部の測定結果及び前記第２の測定部の測定結果の両方を位置情報と共に記録する記録部（記録部２６３）とを備えることを要旨とする。
【００１７】
本発明に係る無線端末の他の特徴は、上記特徴に係る無線端末において、前記記録部は、前記第２の測定部によって測定が行われた周波数帯を示す周波数帯情報をさらに記録することを要旨とする。
【００１８】
本発明に係る無線端末の特徴は、所定の無線アクセス技術の無線基地局（例えばＬＴＥ基地局ｅＮＢ）から、測定対象の周波数帯を含む測定パラメータを設定するための測定構成メッセージ（例えばMDT Configurationメッセージ）を受信する受信部（無線通信部２１０）と、アイドル状態において、前記所定の無線アクセス技術とは異なる無線アクセス技術、及び／又は、前記所定の無線アクセス技術であって前記測定対象の周波数帯とは異なる周波数帯に対して、無線環境の測定を行う測定部（第２の測定部２６２）と、前記測定部の測定結果と、前記測定部によって測定が行われた周波数帯を示す周波数帯情報と、位置情報とを記録する記録部（記録部２６３）とを備えることを要旨とする。
【００１９】
本発明に係る無線端末の他の特徴は、上記特徴に係る無線端末において、アイドル状態からコネクテッド状態に遷移した後、前記記録部によって記録された前記周波数帯情報を測定結果及び位置情報と共に前記所定の無線アクセス技術の無線基地局に送信する送信部（報告処理部２６４及び無線通信部２１０）をさらに備えることを要旨とする。
【図面の簡単な説明】
【００２０】
【図１】本発明の実施形態に係る移動通信システムの全体概略構成を示す図である。
【図２】周波数帯Ｆ１のＬＴＥ基地局の通信エリアと、周波数帯Ｆ２のＬＴＥ基地局の通信エリアと、ＣＤＭＡ２０００（周波数帯Ｆ３）の無線基地局の通信エリアとが重複する一例を説明するための図である。
【図３】本発明の実施形態に係るＬＴＥ基地局の構成を示すブロック図である。
【図４】本発明の実施形態に係る無線端末の構成を示すブロック図である。
【図５】本発明の実施形態に係る無線測定収集方法を示す全体概略シーケンス図である。
【図６】本発明の実施形態に係るロギング処理の詳細を示すフローチャートである。
【発明を実施するための形態】
【００２１】
図面を参照して、本発明の実施形態について、（１）移動通信システムの概要、（２）ＬＴＥ基地局の構成、（３）無線端末の構成、（４）無線測定収集方法、（５）実施形態の効果、（６）その他の実施形態の順に説明する。以下の実施形態における図面において、同一又は類似の部分には同一又は類似の符号を付している。
【００２２】
本実施形態に係る無線測定収集方法は、無線端末によって実行される無線測定収集方法であって、ＬＴＥ基地局（所定の無線アクセス技術の無線基地局に相当）から、測定対象の周波数帯を含む測定パラメータを設定するためのMDT Configurationメッセージ（測定構成メッセージに相当）を受信するステップと、アイドル状態において、MDT Configurationメッセージによって設定された測定パラメータに従って、ＬＴＥの測定対象の周波数帯に対して、無線環境の測定を行う第１の測定ステップと、アイドル状態において、ＬＴＥとは異なる無線アクセス技術、及び／又は、ＬＴＥであって測定対象の周波数帯とは異なる周波数帯に対して、無線環境の測定を行う第２の測定ステップと、第１の測定ステップでの測定結果が閾値未満である場合に、第１の測定ステップでの測定結果及び第２の測定ステップでの測定結果の両方を位置情報と共に記録するステップとを備える。
【００２３】
また、本実施形態では、記録するステップでは、第２の測定ステップで測定が行われた周波数帯を示す周波数帯情報をさらに記録する。
【００２４】
（１）移動通信システムの概要  
図１は、本実施形態に係る移動通信システム１の全体概略構成を示す図である。
【００２５】
図１に示すように、移動通信システム１は、無線端末ＵＥ（User Equipment）、複数の無線基地局ｅＮＢ（evolved Node-B）、保守監視装置ＯＡＭ（Operation and Maintenance）、及び移動管理装置ＭＭＥ（Mobility Management Entity）／ゲートウェイ装置Ｓ−ＧＷ（Serving Gateway）を有する。
【００２６】
複数の無線基地局ｅＮＢは、Ｅ−ＵＴＲＡＮ（Evolved-UMTS Terrestrial Radio Access Network）を構成する。複数の無線基地局ｅＮＢのそれぞれは、無線端末ＵＥにサービスを提供すべき通信エリアであるセルを形成する。以下において、ＬＴＥの無線基地局を適宜「ＬＴＥ基地局」と称する。
【００２７】
隣接する各無線基地局ｅＮＢは、基地局間通信を提供する論理的な通信路であるＸ２インターフェースを介して互いに通信可能である。複数の無線基地局ｅＮＢのそれぞれは、Ｓ１インターフェースを介して、ＥＰＣ（Evolved Packet Core）、具体的には、ＭＭＥ／Ｓ−ＧＷと通信可能である。また、各無線基地局ｅＮＢは、オペレータによって運営される保守監視装置ＯＡＭと通信可能である。
【００２８】
なお、以下においては、Ｅ−ＵＴＲＡＮと保守監視装置ＯＡＭとを併せて適宜「ネットワーク」と称する。ただし、異なるＲＡＴの無線アクセスネットワークが「ネットワーク」に含まれてもよい。
【００２９】
無線端末ＵＥは、ユーザが所持する無線通信装置であり、ユーザ装置とも称される。無線端末ＵＥは、複数のＲＡＴに対応する。本実施形態では、無線端末ＵＥは、ＬＴＥ及びＣＤＭＡ２０００に対応する。
【００３０】
また、無線端末ＵＥは、複数の周波数帯に対応する。本実施形態では、無線端末ＵＥは、ＬＴＥの周波数帯Ｆ１、ＬＴＥの周波数帯Ｆ２、及びＣＤＭＡ２０００の周波数帯Ｆ３に対応する。
【００３１】
移動通信システム１は、ＭＤＴ（具体的には、Logged MDT）をサポートする。Logged MDTは、アイドル状態の無線端末が、設定された測定パラメータに従って無線環境の測定を行い、測定結果を位置情報及びタイムスタンプと共にＭＤＴデータとして記録し、後でネットワークに報告するために保持するものである。ＭＤＴを用いることで、オペレータは、無線基地局からの受信電力又は受信品質の低い位置（いわゆるカバレッジホール）を把握することが可能になる。
【００３２】
図２は、周波数帯Ｆ１のＬＴＥ基地局の通信エリアと、周波数帯Ｆ２のＬＴＥ基地局の通信エリアと、ＣＤＭＡ２０００（周波数帯Ｆ３）の無線基地局の通信エリアとが重複する一例を説明するための図である。以下において、ＣＤＭＡ２０００の無線基地局を適宜「ＣＤＭＡ２０００基地局」と称する。
【００３３】
図２に示すように、周波数帯Ｆ１のＬＴＥ基地局の通信エリア、周波数帯Ｆ２のＬＴＥ基地局の通信エリア、ＣＤＭＡ２０００基地局の通信エリアのそれぞれは、カバレッジホールを含む。
【００３４】
ＬＴＥ（周波数帯Ｆ１）のカバレッジホールは、ＬＴＥ（周波数帯Ｆ２）及びＣＤＭＡ２０００によってカバーされている。ＬＴＥ（周波数帯Ｆ１）で通信中の無線端末ＵＥは、ＬＴＥ（周波数帯Ｆ１）のカバレッジホールに移動する場合に、周波数帯Ｆ２のＬＴＥ基地局又はＣＤＭＡ２０００基地局へのハンドオーバを行うことで、通信を継続可能である。
【００３５】
ＬＴＥ（周波数帯Ｆ２）のカバレッジホールは、ＬＴＥ（周波数帯Ｆ１）及びＣＤＭＡ２０００によってカバーされている。ＬＴＥ（周波数帯Ｆ２）で通信中の無線端末ＵＥは、ＬＴＥ（周波数帯Ｆ２）のカバレッジホールに移動する場合に、周波数帯Ｆ１のＬＴＥ基地局又はＣＤＭＡ２０００基地局へのハンドオーバを行うことで、通信を継続可能である。
【００３６】
ＣＤＭＡ２０００のカバレッジホールは、ＬＴＥ（周波数帯Ｆ１）及びＬＴＥ（周波数帯Ｆ２）によってカバーされている。ＣＤＭＡ２０００で通信中の無線端末ＵＥは、ＣＤＭＡ２０００のカバレッジホールに移動する場合に、周波数帯Ｆ１のＬＴＥ基地局又は周波数帯Ｆ２のＬＴＥ基地局へのハンドオーバを行うことで、通信を継続可能である。
【００３７】
一方で、ＬＴＥ（周波数帯Ｆ１）、ＬＴＥ（周波数帯Ｆ２）、及びＣＤＭＡ２０００のそれぞれのカバレッジホールが重複する位置においては、コネクテッド状態の無線端末ＵＥの通信が途絶する可能性があり、早急に対処を行う必要がある。
【００３８】
従って、一のＲＡＴの一の周波数帯におけるカバレッジホールが他のＲＡＴ及び／又は他の周波数帯によってカバーされているか否かを把握することは、オペレータにとって重要である。
【００３９】
（２）ＬＴＥ基地局の構成  
図３は、本実施形態に係るＬＴＥ基地局ｅＮＢの構成を示すブロック図である。
【００４０】
図３に示すように、ＬＴＥ基地局ｅＮＢは、アンテナ１０１、無線通信部１１０、ネットワーク通信部１２０、記憶部１３０、及び制御部１４０を有する。
【００４１】
アンテナ１０１は、無線信号の送受信に用いられる。無線通信部１１０は、例えば無線周波数（ＲＦ）回路やベースバンド（ＢＢ）回路等を用いて構成され、アンテナ１０１を介して無線信号を送受信する。また、無線通信部１１０は、送信信号の変調と受信信号の復調とを行う。ネットワーク通信部１２０は、他のネットワーク装置（保守監視装置ＯＡＭや他のＬＴＥ基地局ｅＮＢ等）との通信を行う。記憶部１３０は、例えばメモリを用いて構成され、ＬＴＥ基地局ｅＮＢの制御等に用いられる各種の情報を記憶する。制御部１４０は、例えばＣＰＵを用いて構成され、ＬＴＥ基地局ｅＮＢが備える各種の機能を制御する。
【００４２】
制御部１４０は、測定制御部１４１及びＭＤＴデータ取得部１４２を有する。
【００４３】
測定制御部１４１は、測定パラメータを無線端末ＵＥに設定するためのMDT Configurationメッセージを生成し、当該MDT Configurationメッセージを無線端末ＵＥに送信するよう無線通信部１１０を制御する。測定パラメータは、測定対象の周波数帯（measurements to be logged）、測定トリガ（triggering of logging event）、測定期間（total duration of logging）、絶対時間（network absolute time stamp）、及び測定エリア（measurements area）を含む。ただし、測定エリア（measurements area）は、測定パラメータに含まれなくてもよい。
【００４４】
ＭＤＴデータ取得部１４２は、アイドル状態（待ち受け中の状態）からコネクテッド状態（通信中の状態）に遷移した無線端末ＵＥからＭＤＴデータを取得ための処理を行う。具体的には、ＭＤＴデータ取得部１４２は、無線端末ＵＥがＭＤＴデータを保持していることを示す保持情報（Availability Indicatorとも称される）を含むRRCConnectionSetupCompleteメッセージを無線通信部１１０が受信した後、ネットワークによって無線端末ＵＥからＭＤＴデータを取得すると決定された場合に、UEInformationRequestメッセージを生成し、生成したUEInformationRequestメッセージを無線端末ＵＥに送信するよう無線通信部１１０を制御する。
【００４５】
ＭＤＴデータ取得部１４２は、UEInformationRequestメッセージに応じて無線端末ＵＥから送信（報告）されたUEInformationResponseメッセージを無線通信部１１０が受信すると、受信したUEInformationResponseメッセージに含まれるＭＤＴデータを取得する。
【００４６】
そして、ＭＤＴデータ取得部１４２は、取得したＭＤＴデータを保守監視装置ＯＡＭに送信するようネットワーク通信部１２０を制御する。なお、ＭＤＴデータ取得部１４２は、ＭＤＴデータを保守監視装置ＯＡＭに送信するケースに限らず、当該ＭＤＴデータの内容を解釈し、自局のパラメータ最適化に使用してもよい。
【００４７】
（３）無線端末の構成  
図４は、本実施形態に係る無線端末ＵＥの構成を示すブロック図である。
【００４８】
図４に示すように、無線端末ＵＥは、アンテナ２０１、無線通信部２１０、ユーザインターフェイス部２２０、ＧＰＳ受信機２３０、バッテリ２４０、記憶部２５０、及び制御部２６０を有する。ただし、無線端末ＵＥは、ＧＰＳ受信機２３０を有していなくてもよい。
【００４９】
アンテナ２０１は、無線信号の送受信に用いられる。無線通信部２１０は、例えば無線周波数（ＲＦ）回路やベースバンド（ＢＢ）回路等を用いて構成され、アンテナ２０１を介して無線信号を送受信する。また、無線通信部２１０は、送信信号の変調と受信信号の復調とを行う。本実施形態では、無線通信部２１０は、ＬＴＥ（周波数帯Ｆ１）、ＬＴＥ（周波数帯Ｆ２）、及びＣＤＭＡ２０００（周波数帯Ｆ３）のそれぞれに対応する。ユーザインターフェイス部２２０は、ユーザとのインターフェイスとして機能するディスプレイやボタン等である。バッテリ２４０は、無線端末ＵＥの各ブロックに供給される電力を蓄える。記憶部２５０は、例えばメモリを用いて構成され、無線端末ＵＥの制御等に用いられる各種の情報を記憶する。制御部２６０は、例えばＣＰＵを用いて構成され、無線端末ＵＥが備える各種の機能を制御する。
【００５０】
制御部２６０は、第１の測定部２６１、第２の測定部２６２、記録部２６３、及び報告処理部２６４を有する。
【００５１】
第１の測定部２６１は、コネクテッド状態において、ＬＴＥ基地局ｅＮＢからのMDT Configurationメッセージを無線通信部２１０が受信すると、受信したMDT Configurationメッセージに含まれる測定パラメータを設定する。
【００５２】
本実施形態において、無線通信部２１０は、測定対象の周波数帯を含む測定パラメータを設定するためのMDT Configurationメッセージを受信する受信部に相当する。上述したように、測定パラメータは、測定対象の周波数帯、測定トリガ、測定期間、絶対時間、及び測定エリアを含む。ただし、測定エリアは、測定パラメータに含まれなくてもよい。
【００５３】
第１の測定部２６１は、アイドル状態において、記憶部２５０に記憶された測定パラメータに従って、ＬＴＥの測定対象の周波数帯に対して、無線環境の測定を行う。なお、無線環境とは、例えば参照信号の受信電力（ＲＳＲＰ）や参照信号の受信品質（ＲＳＲＱ）である。
【００５４】
第２の測定部２６２は、ＬＴＥとは異なるＲＡＴ（本実施形態では、ＣＤＭＡ２０００）、及び／又は、ＬＴＥであって測定対象の周波数帯とは異なる周波数帯に対して、無線環境の測定を行う。ここで、ＬＴＥとは異なるＲＡＴに対して無線環境の測定を行う場合、第２の測定部２６２は、ＬＴＥの測定対象の周波数帯と同一の周波数帯に対して測定を行ってもよく、ＬＴＥの測定対象の周波数帯と異なる周波数帯に対して測定を行ってもよい。
【００５５】
記録部２６３は、第１の測定部２６１の測定結果、位置情報、タイムスタンプを含むＭＤＴデータを記録（すなわち、記憶部２５０に格納）する。位置情報は、サービングセルのＥＣＧＩ（E-UTRAN Cell Global Identifier）を含む。また、無線端末ＵＥが測位機能を有している場合、位置情報は、ＧＮＳＳ（Global Navigation Satellite System）位置情報をさらに含む。一方、無線端末ＵＥが測位機能を有していない場合、位置情報は、隣接セルからの受信状態に関するＲＦ（Radio frequency）フィンガープリントをさらに含む。タイムスタンプは、測定パラメータに含まれる絶対時間を基準とする時間情報である。
【００５６】
記録部２６３は、第１の測定部２６１による測定結果（ＲＳＲＰ及び／又はＲＳＲＱ）が閾値未満である場合には、第１の測定部２６１の測定結果に加えて、第２の測定部２６２の測定結果、位置情報、タイムスタンプ、及び、第２の測定部２６２によって測定が行われた周波数帯を示す周波数帯情報を含むＭＤＴデータを記録する。
【００５７】
例えば、記録部２６３は、測定対象の周波数帯が周波数帯Ｆ１である場合であって、第２の測定部２６２がＬＴＥの周波数帯Ｆ２に対して測定を行った場合には、周波数帯Ｆ２を示す周波数帯情報を周波数帯Ｆ２の測定結果に対応付けて記録する。また、記録部２６３は、測定対象の周波数帯が周波数帯Ｆ１である場合であって、第２の測定部２６２がＣＤＭＡ２０００の周波数帯Ｆ３に対して測定を行った場合には、周波数帯Ｆ３を示す周波数帯情報を周波数帯Ｆ３の測定結果に対応付けて記録する。
【００５８】
報告処理部２６４は、保持しているＭＤＴデータをネットワークに報告するための処理を行う。具体的には、報告処理部２６４は、アイドル状態からコネクテッド状態に遷移する際に、ＭＤＴデータを保持していることを示す保持情報（Availability Indicator）をネットワークに送信する。具体的には、無線端末ＵＥは、コネクテッド状態の確立が完了したことを示すRRCConnectionSetupCompleteメッセージに、保持情報を含めてネットワークに送信する。
【００５９】
そして、報告処理部２６４は、ＭＤＴデータの送信を要求するUEInformationRequestメッセージを無線通信部２１０が受信すると、保持しているＭＤＴデータを含むUEInformationResponseメッセージをネットワークに送信するよう無線通信部２１０を制御する。本実施形態において、報告処理部２６４及び無線通信部２１０は、周波数帯情報を含むＭＤＴデータをUEInformationResponseメッセージに含めて送信する送信部に相当する。
【００６０】
（４）無線測定収集方法  
次に、本実施形態に係る無線測定収集方法について、（４．１）全体概略動作、（４．２）ロギング処理の順に説明する。
【００６１】
（４．１）全体概略動作  
図５は、本実施形態に係る無線測定収集方法を示す全体概略シーケンス図である。
【００６２】
図５に示すように、ステップＳ１１において、Ｅ−ＵＴＲＡＮに含まれるＬＴＥ基地局ｅＮＢは、MDT Configurationメッセージを、コネクテッド状態の無線端末ＵＥに送信する。無線端末ＵＥは、MDT Configurationメッセージを受信する。
【００６３】
ステップＳ１２において、無線端末ＵＥは、受信したMDT Configurationメッセージに含まれる測定パラメータを設定する。また、無線端末ＵＥは、測定期間のタイマ（duration timer）を起動する。
【００６４】
ステップＳ１３において、無線端末ＵＥは、コネクテッド状態からアイドル状態に遷移する。
【００６５】
ステップＳ１４において、無線端末ＵＥは、測定パラメータに従って無線環境の測定を行い、測定結果、位置情報、タイムスタンプを含むＭＤＴデータを記録する。このような処理は「ロギング」と称されることがある。ロギング処理の詳細については後述する。
【００６６】
ステップＳ１５において、無線端末ＵＥは、Ｅ−ＵＴＲＡＮに含まれるＬＴＥ基地局ｅＮＢとの接続処理を行う。ここで接続先となるＬＴＥ基地局ｅＮＢは、MDT Configurationメッセージの送信元基地局とは異なるものである可能性が高い。
【００６７】
ステップＳ１６において、無線端末ＵＥは、保持情報（Availability Indicator）を含むRRCConnectionSetupCompleteメッセージをＬＴＥ基地局ｅＮＢに送信する。ＬＴＥ基地局ｅＮＢは、RRCConnectionSetupCompleteメッセージを受信する。なお、ＬＴＥ基地局ｅＮＢがRRCConnectionSetupCompleteメッセージを正しく受信できた時点で、無線端末ＵＥは、アイドル状態からコネクテッド状態への遷移が完了する。
【００６８】
ステップＳ１７において、ＬＴＥ基地局ｅＮＢは、無線端末ＵＥからＭＤＴデータを取得する場合に、UEInformationRequestメッセージを無線端末ＵＥに送信する。無線端末ＵＥは、UEInformationRequestメッセージを受信する。
【００６９】
ステップＳ１８において、無線端末ＵＥは、UEInformationRequestメッセージに応答して、ＭＤＴデータを含むUEInformationResponseメッセージをＬＴＥ基地局ｅＮＢに送信する。ＬＴＥ基地局ｅＮＢは、UEInformationResponseメッセージを受信すると、取得したＭＤＴデータを保守監視装置ＯＡＭに送信する。なお、ＬＴＥ基地局ｅＮＢは、当該ＭＤＴデータの内容を解釈し、自局のパラメータ最適化に使用してもよい。
【００７０】
（４．２）ロギング処理  
次に、ロギング処理（すなわち、図５のステップＳ１４の詳細）について説明する。図６は、ロギング処理の詳細を示すフローチャートである。
【００７１】
ステップＳ１４１において、無線端末ＵＥの第１の測定部２６１は、ＬＴＥ基地局ｅＮＢから設定された測定パラメータに含まれる測定トリガに対応するイベントが発生したか否かを確認する。当該イベントが発生した場合、処理をステップＳ１４２に進める。
【００７２】
ステップＳ１４２において、第１の測定部２６１は、ＬＴＥ基地局ｅＮＢから設定された測定パラメータに含まれる、測定対象の周波数帯に対して、無線環境（具体的には、ＲＳＲＰ、ＲＳＲＱ）の測定を行う。ここでは、第１の測定部２６１は、ＬＴＥについて測定を行う。
【００７３】
ステップＳ１４３において、第２の測定部２６２は、ＬＴＥとは異なるＲＡＴ（本実施形態ではＣＤＭＡ２０００）、及び／又は、ＬＴＥであって測定対象の周波数帯とは異なる周波数帯に対して、無線環境（例えば、ＲＳＲＰ、ＲＳＲＱ）の測定を行う。
【００７４】
ステップＳ１４４において、記録部２６３は、第１の測定部２６１によって測定されたＲＳＲＰを閾値１と比較し、第１の測定部２６１によって測定されたＲＳＲＱを閾値２と比較する。当該ＲＳＲＰ及び当該ＲＳＲＱが閾値以上である場合には、処理をステップＳ１４５に進める。一方、当該ＲＳＲＰ又は当該ＲＳＲＱの少なくとも一方が閾値未満である場合には、処理をステップＳ１４６に進める。
【００７５】
ステップＳ１４５において、記録部２６３は、ステップＳ１４２に対応するＭＤＴデータ、すなわち、ステップＳ１４２での測定結果（ＲＳＲＰ及びＲＳＲＱ）と、ステップＳ１４２で測定を行った際の位置を示す位置情報と、ステップＳ１４２で測定を行った際の時刻を示すタイムスタンプとを含むＭＤＴデータを記録する。
【００７６】
一方、ステップＳ１４６において、記録部２６３は、ステップＳ１４２に対応するＭＤＴデータと、ステップＳ１４３に対応するＭＤＴデータとを記録する。具体的には、記録部２６３は、ステップＳ１４２での測定結果（ＲＳＲＰ及びＲＳＲＱ）と、ステップＳ１４２で測定を行った際の位置を示す位置情報と、ステップＳ１４２で測定を行った際の時刻を示すタイムスタンプとを含むＭＤＴデータに加えて、ステップＳ１４３での測定結果（ＲＳＲＰ及びＲＳＲＱ）と、ステップＳ１４３で測定を行った際の位置を示す位置情報と、ステップＳ１４３で測定を行った際の時刻を示すタイムスタンプと、ステップＳ１４３で測定が行われた周波数帯を示す周波数帯情報とを含むＭＤＴデータを記録する。なお、記録部２６３は、ステップＳ１４２に対応するＭＤＴデータ及びステップＳ１４３に対応するＭＤＴデータにおいて、位置情報及びタイムスタンプについては、共通のものを使用してもよい。
【００７７】
ステップＳ１４７において、第１の測定部２６１は、測定期間の満了、又は、コネクテッド状態への遷移の何れかが発生したか否かを確認する。測定期間の満了、又は、コネクテッド状態への遷移の何れかが発生した場合には、ロギング処理が終了する。一方、測定期間の満了、又は、コネクテッド状態への遷移の何れも発生していない場合には、処理がステップＳ１４１に戻る。
【００７８】
なお、ステップＳ１４５において、記録部２６３は、ステップＳ１４２に対応するＭＤＴデータのみを記録していたが、ステップＳ１４３に対応するＭＤＴデータも記録してよい。
【００７９】
（５）実施形態の効果  
以上説明したように、本実施形態によれば、ＬＴＥ基地局ｅＮＢから測定パラメータが設定された無線端末ＵＥは、ＬＴＥ基地局ｅＮＢからのＲＳＲＰ又はＲＳＲＱが閾値未満（すなわち、カバレッジホール）である場合、ＬＴＥとは異なるＲＡＴ、及び／又は、ＬＴＥであって測定対象の周波数帯とは異なる周波数帯に対する測定結果、位置情報、及びタイムスタンプを記録する。これにより、ＬＴＥの一の周波数帯におけるカバレッジホールが他のＲＡＴ及び／又は他の周波数帯によってカバーされているか否かを把握可能にすることができる。
【００８０】
また、本実施形態では、無線端末ＵＥは、ＬＴＥとは異なるＲＡＴ、及び／又は、ＬＴＥであって測定対象の周波数帯とは異なる周波数帯に対して無線環境の測定を行った際の周波数帯情報を、測定結果、位置情報、及びタイムスタンプと共に記録する。さらに、本実施形態では、無線端末ＵＥは、記録された測定結果、位置情報、タイムスタンプ、及び周波数帯情報を含むUEInformationResponseメッセージをネットワークに送信する。これにより、ＬＴＥの一の周波数帯におけるカバレッジホールが、どのＲＡＴ及び／又はどの周波数帯によってカバーされているかを把握可能にすることができる。
【００８１】
（６）その他の実施形態  
上記のように、本発明は各実施形態によって記載したが、この開示の一部をなす論述及び図面はこの発明を限定するものであると理解すべきではない。この開示から当業者には様々な代替実施形態、実施例及び運用技術が明らかとなる。
【００８２】
例えば、上述した実施形態では、３ＧＰＰで仕様が策定されているＬＴＥ−Ａｄｖａｎｃｅｄに基づいて構成される移動通信システムを主として説明した。しかしながら、ＬＴＥ−Ａｄｖａｎｃｅｄに限らず、Ｗ−ＣＤＭＡ（Wideband Code Division Multiple Access）に基づいて構成される移動通信システム等についても本発明を適用可能である。例えば、Ｗ−ＣＤＭＡ（ＵＭＴＳ）基地局から無線端末に測定パラメータを設定してもよい。
【００８３】
このように本発明は、ここでは記載していない様々な実施形態等を包含するということを理解すべきである。
【００８４】
なお、日本国特許出願第２０１０−２２７８１５号（２０１０年１０月７日出願）の全内容が、参照により、本願明細書に組み込まれている。
【産業上の利用可能性】
【００８５】
以上のように、本発明に係る無線測定収集方法及び無線端末によれば、一のＲＡＴの一の周波数帯におけるカバレッジホールが他のＲＡＴ及び／又は他の周波数帯によってカバーされているか否かを把握可能にすることができるため、移動体通信などの無線通信において有用である。
【要約】
【課題】  一のＲＡＴの一の周波数帯におけるカバレッジホールが他のＲＡＴ及び／又は他の周波数帯によってカバーされているか否かを把握できない。
【解決手段】  無線端末は、第２ＲＡＴに対する測定指示が無線基地局から設定された測定パラメータに含まれていなくても、アイドル状態において、測定対象の第１ＲＡＴに対する測定だけでなく第２ＲＡＴに対する測定も行う。無線端末は、ネットワークへの報告のために、第１ＲＡＴに対する測定結果だけでなく第２ＲＡＴに対する測定結果も保持する。無線端末は、アイドル状態からコネクテッド状態に遷移すると、保持していた情報を第１ＲＡＴの無線基地局へ送信する。
【選択図】  図６【図１】
0005537749.tif 000002
【図２】
0005537749.tif 000003
【図３】
0005537749.tif 000004
【図４】
0005537749.tif 000005
【図５】
0005537749.tif 000006
【図６】
0005537749.tif 000007